(57)【要約】【課題】  この発明は、予約された番組の受信に支障が生じる恐れがある場合には警告を発し、放送受信あるいは記録機会を逸することを防止する放送受信装置を提供することを目的としている。【解決手段】  放送を受信する放送受信手段（８）と、所定の番組に係る放送受信の予約が設定される番組予約手段（９）と、時刻を計時する計時手段（６）と、前記計時手段で計時される時刻に基づいて前記番組予約手段で設定された放送受信予約の時刻よりも所定時刻前に、前記予約された放送の受信が正常に行われるか否かを判断する予備放送受信判断手段（９）と、前記予備放送受信判断手段で予約された放送の受信が正常に行われないと判断された場合は警告を行う警告手段（２０）とを備える。【選択図】  図２ 
2005136491.tif 000002
【特許請求の範囲】
【請求項１】
放送を受信する放送受信装置において、
放送を受信する放送受信手段と、
所定の番組に係る放送受信の予約が設定される番組予約手段と、
時刻を計時する計時手段と、
前記計時手段で計時される時刻に基づいて前記番組予約手段で設定された放送受信予約の時刻よりも所定時刻前に、前記予約された放送の受信が正常に行われるか否かを判断する予備放送受信判断手段と、
前記予備放送受信判断手段で予約された放送の受信が正常に行われないと判断された場合は警告を行う警告手段とを備えることを特徴とする放送受信装置。
【請求項２】
放送を受信して記録媒体に記録する放送受信装置において、
放送を受信する放送受信手段と、
所定の番組に係る放送受信の予約が設定される番組予約手段と、
時刻を計時する計時手段と、
前記計時手段で計時される時刻に基づいて前記番組予約手段で設定された放送受信予約の時刻よりも所定時刻前に、前記予約された放送の受信が正常に行われるか否かを判断する予備放送受信判断手段と、
前記予備放送受信判断手段で予約された放送の受信が正常に行われないと判断された場合は警告を行う警告手段と、
前記予備放送受信判断手段で予約された放送の受信が正常に行われると判断された場合は前記放送受信手段を用いて予約が設定された番組を受信し、記録媒体に記録する記録手段とを備えることを特徴とする放送受信装置。
【請求項３】
前記予備放送受信判断手段は前記放送受信手段を用いて放送を受信し、この受信された放送の電波受信レベルによって前記予約された放送の受信が正常に行われるか否かを判断することを特徴とする請求項１または２に記載の放送受信装置。
【請求項４】
前記予備放送受信判断手段は前記放送受信手段を用いて放送を受信し、この受信された放送の放送形式を確認することによって番組放送内容が正常に取得できるか否かを判断することを特徴とする請求項１または２に記載の放送受信装置。
【請求項５】
前記警告手段は前記記録手段に電力を供給する電力供給手段をさらに備え、前記番組予約手段で設定された番組を前記記録手段に記録するための電力と前記電力供給手段に蓄えられた電力を比較し、電力供給手段に蓄えられた電力が予約設定された番組を記録するための電力よりも小さいと判断される場合は警告を行うことを特徴とする請求項２乃至４に記載の放送受信装置。
【請求項６】
放送を受信するステップと、
所定の番組に係る放送受信の予約が設定されるステップと、
時刻を計時するステップと、
計時される時刻に基づいて設定された放送受信予約の時刻よりも所定時刻前に、前記予約された放送の受信が正常に行われるか否かを判断するステップと、
予約された放送の受信が正常に行われないと判断された場合は警告を行うステップとを備えることを特徴とする放送受信方法。
【請求項７】
放送を受信するステップと、
所定の番組に係る放送受信の予約が設定されるステップと、
時刻を計時するステップと、
計時される時刻に基づいて設定された放送受信予約の時刻よりも所定時刻前に、前記予約された放送の受信が正常に行われるか否かを判断するステップと、
予約された放送の受信が正常に行われないと判断された場合は警告を行うステップと、
予約された放送の受信が正常に行われると判断された場合は予約が設定された番組を受信し、記録媒体に記録するステップとを備えることを特徴とする放送受信方法。
【発明の詳細な説明】
【技術分野】
【０００１】
この発明は、例えば予約された放送を受信する放送受信装置に関する。またこの発明は、受信された放送を記録媒体へ記録する放送受信装置に関する。またこの発明は、携帯移動可能な放送受信装置に関する。
【背景技術】
【０００２】
近年、テレビジョン放送がデジタル化されつつある（デジタル放送）。このデジタル放送を携帯移動可能な放送受信装置で受信することが提案されている。しかし、放送受信装置が移動可能に構成されているため、放送受信の際に、例えばビルディング等の物陰に遮られて放送の受信状態が悪くなることが予想される。番組受信予約あるいは受信した番組の記録（録画予約）が設定されていた場合は、設定時間に放送受信装置が移動している場合等には、この予約された番組の受信に支障が生じる恐れがあるという問題があった。
【０００３】
特許文献１には、放送の記録に失敗した際に放送の付帯情報（デジタル放送の番組配列情報等）により、同一の放送内容を得られる代替番組を検索し、その代替番組を記録してユーザーに通知する技術が開示されている。しかし、特許文献１では、同じような内容が頻繁に放送される番組を念頭において発明がなされているが、一般には、同じような内容の番組が頻繁に放送されることはさほど多くないのが現状である。
【特許文献１】特開２００１−１６８７４２号公報
【発明の開示】
【発明が解決しようとする課題】
【０００４】
そこで、この発明は上記事情を考慮してなされたもので、予約された番組の受信に支障が生じる恐れがある場合には警告を発し、放送受信あるいは記録機会を逸することを防止することを目的とする。
【課題を解決するための手段】
【０００５】
この発明に係る放送受信装置は、放送を受信する放送受信手段と、所定の番組に係る放送受信の予約が設定される番組予約手段と、時刻を計時する計時手段と、前記計時手段で計時される時刻に基づいて前記番組予約手段で設定された放送受信予約の時刻よりも所定時刻前に、前記予約された放送の受信が正常に行われるか否かを判断する予備放送受信判断手段と、前記予備放送受信判断手段で予約された放送の受信が正常に行われないと判断された場合は警告を行う警告手段とを備えるように構成したものである。
【０００６】
またこの発明に係る放送受信方法は、  放送を受信するステップと、所定の番組に係る放送受信の予約が設定されるステップと、時刻を計時するステップと、計時される時刻に基づいて設定された放送受信予約の時刻よりも所定時刻前に、前記予約された放送の受信が正常に行われるか否かを判断するステップと、予約された放送の受信が正常に行われないと判断された場合は警告を行うステップとを備えるように構成したものである。
【発明の効果】
【０００７】
上記した構成によれば、予約された番組の受信に支障が生じる恐れがある場合には警告を発し、放送受信あるいは記録の機会を逸することを防止することが可能となる。
【発明を実施するための最良の形態】
【０００８】
以下、この発明の実施の形態について図面を参照して詳細に説明する。
【０００９】
図１はこの発明の実施の形態を示すもので、放送受信装置の概略を説明するために示す外観図である。
【００１０】
ここでは放送受信装置として携帯型テレビ（モバイルＴＶ）を例にとって説明する。
【００１１】
符号４は操作キー、符号７はアンテナ、符号１３はモニタ、符号２１はＬＥＤ（警告手段）、符号２２は振動（警告手段）である。
【００１２】
操作キー４は放送受信装置本体に設けられ、ユーザによって操作されるもので放送受信装置を操作するものである。アンテナ７は放送を受信する。ここではデジタル放送を受信するが、特にデジタル放送に限られるものではなく、アナログ放送を受信してもよい。モニタ１３は放送受信装置本体に設けられアンテナ７で受信された放送または後述するメモリ等の記録媒体に記録された番組を表示するものである。ＬＥＤ（警告手段）２１は予約された放送の受信が正常に行われないと判断された場合にユーザに対して警告を行うものである。振動（警告手段）２２も予約された放送の受信が正常に行われないと判断された場合にユーザに対して警告を行うものである。
【００１３】
図２は、この発明の実施の形態を示すもので、放送受信装置の概略を説明するために示すブロック図である。
【００１４】
符号１は電源（プラグ）、符号２はバッテリ（電池）、符号３はスイッチ、符号５は小型マイコン、符号６は時計（計時手段）、符号８はチューナ、符号９はＣＰＵ、符号１０は主記憶メモリ（半導体メモリ）、符号１１は不揮発性メモリ、符号１２は映像処理マイコン（ＣＰＵ）、符号１４はスピーカ（警告手段）、符号２０は警告部である。また、図１の説明と同一の構成については同じ符号を付して説明を省略する。
【００１５】
放送受信装置はプラグ１を介して商用電源に接続され、電力が供給される。また、放送受信装置はバッテリ２を備えており、プラグ１を介して供給された電力を蓄積する。尚、バッテリ２は放送受信装置に対して取りつけおよび取り外し可能に構成され、外部で電力が蓄積されたバッテリ２が取りつけられる構成でもよい。プラグ１を介して供給された電力またはバッテリ２から供給された電力のＯＮ／ＯＦＦはスイッチ３で切替えられる。このスイッチ３は小型マイコン５によって制御される。
【００１６】
ユーザが操作キー４を制御すると操作キー４の動作に応じた信号が出力され、小型マイコン５で受信される。小型マイコン５は受信された信号をＣＰＵ９に向けて送信する。また、小型マイコン５は受信された信号を時計６に向けて送信する。時計６は時刻を計時しており、時刻情報および小型マイコン５で受信された信号に応じた時刻情報をＣＰＵ９へ向けて出力する。
【００１７】
ＣＰＵ９はチューナ８、主記憶メモリ１０、不揮発性メモリ１１、映像処理マイコン１２、警告部２０と接続されており、これらの制御を行う。また、不揮発性メモリ１１にはＣＰＵ９を動作させる動作プログラムが格納されており、ＣＰＵ９はこの動作プログラムに応じて動作する。
【００１８】
図示しない放送局から放送波として送信された放送はアンテナ７で受信される。アンテナ７で受信された放送波はＣＰＵ９に制御されるチューナ８で選局されて出力される。ここではいわゆるタイマー予約による制御が実施される。チューナ８から出力された放送波は映像処理マイコン１２で受信され、映像処理が施され、映像信号に変換されて出力される。
【００１９】
映像処理マイコン１２から出力された映像信号はＣＰＵ９に制御されて主記憶メモリ１０に記憶される。ここでは主記憶メモリ１０は半導体メモリで構成されるが、ＨＤＤやＤＶＤ等の記憶媒体でもよい。
【００２０】
映像処理マイコン１２から出力された映像信号はモニタ１３で受信され、映像が表示される。また、マイコン１２から出力された映像信号には音声信号が含まれており、音声信号はスピーカ１４で受信され、音声が出力される。
【００２１】
また、映像・音声とともに受信した付帯情報を解析することで、番組情報などのデータを取得することもできる。こうして得られた番組情報などはCPU９が映像処理マイコン１２を制御して文字などの情報(たとえば電子番組表(EPG))等として提示する。
【００２２】
ユーザは、電子番組表を使用して番組を指定することや、時間帯とチャンネルを指定することにより、ある時間帯の放送内容を不揮発メモリ１１に記憶しておくことができる。この不揮発メモリはFlashROMのようなICでもよいし、HDDのようなストレージメディアでも良い。また、メモリーカードのように本体と着脱できる構成でもよい。
【００２３】
この放送受信装置は放送を視聴しない、いわゆる待機状態の時にはスイッチ３がOFFの状態となり、操作キー４、小型マイコン５、時計６が動作している状態になる。このように構成することで、時間を監視して予約時間にスイッチ４をONして映像の記録動作等を行うことができる。
【００２４】
警告部２０はＣＰＵ９に制御され、ここでは、上記タイマー予約による制御に異常が生じた際に警告を発する。この警告については後述する。
図３はこの発明の実施の形態に係る一部を示すフローチャートである。
【００２５】
符号１０１は予約実行処理を開始するステップである。続いて符号１０２を付したステップへ進む。
【００２６】
符号１０２は予約実行開始前の規定時刻に達したかを判断するステップである。例えば規定時刻として５分前が設定され、予約実行開始５分前になったかが判断される。予約実行開始前の規定時刻に達した場合は符号１０３を付したステップへ進む（Ｙｅｓ）。予約実行開始前の規定時刻に達しない場合は符号１０２の処理を繰り返す（Ｎｏ）。
【００２７】
符号１０３はバッテリ残量を判断するステップである。放送受信装置で使用されるバッテリ残量と予約番組の録画時間（予約番組の録画時間から換算される電力使用量）が比較される。バッテリ残量が予約番組の録画時間を上回る場合は符号１０４を付したステップへ進む（Ｙｅｓ）。バッテリ残量が予約番組の録画時間を上回らない場合は符号１０９を付したステップへ進む（Ｎｏ）。
【００２８】
符号１０４は録画するチャンネルを選局するステップである。続いて符号１０５を付したステップへ進む。
【００２９】
符号１０５は受信された放送電波の受信レベルは正常か否かを判断するステップである。例えば所定の受信レベルを予め設定しておき、これと受信された放送電波の受信レベルを比較して、受信された放送電波の受信レベルが予め設定された受信レベルよりよい場合は放送電波の受信レベルを正常と判断し、受信された放送電波の受信レベルが予め設定された受信レベルより悪い場合は放送電波の受信レベルを正常ではない（異常）と判断する
。受信された放送電波の受信レベルが正常と判断される場合は符号１０６を付したステップへ進む（Ｙｅｓ）。受信された放送電波の受信レベルが正常ではないと判断される場合は符号１０９を付したステップへ進む（Ｎｏ）。
【００３０】
符号１０６は番組放送内容が正常に取得できるか否かを判断するステップである。例えばデジタル放送で送信されるＳＩ（サービスインフォーメーション（番組配列情報））を用いて番組放送内容が正常に取得できるか否かが判断される。番組放送内容が正常に取得できると判断される場合は符号１０７を付したステップへ進む（Ｙｅｓ）。番組放送内容が正常に取得できないと判断される場合は符号１０９を付したステップへ進む（Ｎｏ）。
【００３１】
符号１０９はユーザ設定情報の読出しを行うステップである。操作キー４等で設定されたユーザ設定情報が不揮発性メモリ１１から読み出される。続いて予約番組が記録されない恐れがある場合の警告に関してそれぞれ設定されたユーザ設定情報に応じ、ＬＥＤによる警告の場合は符号１１０、振動による警告の場合は符号１１２、音による警告の場合は符号１１４の各ステップへ進む。
【００３２】
符号１１０は警告としてＬＥＤ発光がＯＮ設定されているか否かを判断するステップである。警告としてＬＥＤ発光がＯＮ設定されている場合は符号１１１を付したステップへ進む（Ｙｅｓ）。警告としてＬＥＤ発光がＯＮ設定されていない場合は符号１１６を付したステップへ進む（Ｎｏ）。
【００３３】
符号１１１はＬＥＤ発行を開始するステップである。続いて符号１１６を付したステップへ進む。
【００３４】
符号１１２は警告として振動がＯＮ設定されているか否かを判断するステップである。警告として振動がＯＮ設定されている場合は符号１１３を付したステップへ進む（Ｙｅｓ）。警告として振動がＯＮ設定されていない場合は符号１１６を付したステップへ進む（Ｎｏ）。
【００３５】
符号１１３は振動を開始するステップである。続いて符号１１６を付したステップへ進む。
【００３６】
符号１１４は警告として音がＯＮ設定されているか否かを判断するステップである。警告として音がＯＮ設定されている場合は符号１１３を付したステップへ進む（Ｙｅｓ）。警告として音がＯＮ設定されていない場合は符号１１６を付したステップへ進む（Ｎｏ）。
【００３７】
符号１１５は音を開始するステップである。続いて符号１１６を付したステップへ進む。
【００３８】
符号１１６は警告する時間（期間）を経過したかを判断するステップである。警告する時間（期間）は予め設定されており、この設定時間を経過したか否かが判断される。警告する時間を経過したと判断される場合は符号１１７を付したステップへ進む（Ｙｅｓ）。警告する時間を経過していないと判断される場合は符号１１８を付したステップへ進む（Ｎｏ）。
【００３９】
符号１１８はバッテリ残量を判断するステップである。放送受信装置で使用されるバッテリ残量と予約番組の録画時間（予約番組の録画時間から換算される電力使用量）が比較される。バッテリ残量が予約番組の録画時間を上回る場合は符号１１９を付したステップへ進む（Ｙｅｓ）。バッテリ残量が予約番組の録画時間を上回らない場合は符号１０９を
付したステップへ進む（Ｎｏ）。
【００４０】
符号１１９は受信された放送電波の受信レベルは正常か否かを判断するステップである。例えば所定の受信レベルを予め設定しておき、これと受信された放送電波の受信レベルを比較して、受信された放送電波の受信レベルが予め設定された受信レベルよりよい場合は放送電波の受信レベルを正常と判断し、受信された放送電波の受信レベルが予め設定された受信レベルより悪い場合は放送電波の受信レベルを正常ではない（異常）と判断する。受信された放送電波の受信レベルが正常と判断される場合は符号１２０を付したステップへ進む（Ｙｅｓ）。受信された放送電波の受信レベルが正常ではないと判断される場合は符号１０９を付したステップへ進む（Ｎｏ）。
【００４１】
符号１２０は番組放送内容が正常に取得できるか否かを判断するステップである。例えばデジタル放送で送信されるＳＩ（サービスインフォーメーション（番組配列情報））を用いて番組放送内容が正常に取得できるか否かが判断される。番組放送内容が正常に取得できると判断される場合は符号１１７を付したステップへ進む（Ｙｅｓ）。番組放送内容が正常に取得できないと判断される場合は符号１０９を付したステップへ進む（Ｎｏ）。
【００４２】
符号１１７は警告音、ＬＥＤ発光、振動を停止するステップである。続いて符号１０７を付したステップへ進む。
【００４３】
符号１０７は録画開始時刻になったか否かを判断するステップである。録画開始時刻になったと判断される場合は符号１０８を付したステップへ進む（Ｙｅｓ）。録画開始時刻になったと判断されない場合は符号１０５を付したステップへ戻り上記処理が繰り返される（Ｎｏ）。
【００４４】
符号１０８は録画開始を実行するステップである。続いてＡを介して図４に示す符号１２１を付したステップへ進む。
【００４５】
図４はこの発明の実施の形態に係る一部を示すフローチャートである。図３に示したフローチャートとはＡを介して接続されている。
【００４６】
符号１２１はバッテリ残量を判断するステップである。放送受信装置で使用されるバッテリ残量と予約番組の録画時間（予約番組の録画時間から換算される電力使用量）が比較される。バッテリ残量が予約番組の録画時間を上回る場合は符号１２２を付したステップへ進む（Ｙｅｓ）。バッテリ残量が予約番組の録画時間を上回らない場合は符号１２６を付したステップへ進む（Ｎｏ）。
【００４７】
符号１２２は受信された放送電波の受信レベルは正常か否かを判断するステップである。例えば上記と同様に所定の受信レベルを予め設定しておき、これと受信された放送電波の受信レベルを比較して、受信された放送電波の受信レベルが予め設定された受信レベルよりよい場合は放送電波の受信レベルを正常と判断し、受信された放送電波の受信レベルが予め設定された受信レベルより悪い場合は放送電波の受信レベルを正常ではない（異常）と判断する。受信された放送電波の受信レベルが正常と判断される場合は符号１２３を付したステップへ進む（Ｙｅｓ）。受信された放送電波の受信レベルが正常ではないと判断される場合は符号１２６を付したステップへ進む（Ｎｏ）。
【００４８】
符号１２２は番組終了時間を終了したか否かを判断するステップである。番組終了時間を終了したと判断される場合は符号１２４を付したステップへ進む（Ｙｅｓ）。番組放送内容が正常に取得できないと判断される場合は符号１２１を付したステップへ進み上記処理が繰り返される（Ｎｏ）。
【００４９】
符号１２６はユーザ設定情報の読出しを行うステップである。上記と同様に操作キー４等で設定されたユーザ設定情報が不揮発性メモリ１１から読み出される。続いて予約番組が記録されない恐れがある場合の警告に関してそれぞれ設定されたユーザ設定情報に応じ、ＬＥＤによる警告の場合は符号１２７、振動による警告の場合は符号１２９、音による警告の場合は符号１３１の各ステップへ進む。
【００５０】
符号１２７は警告としてＬＥＤ発光がＯＮ設定されているか否かを判断するステップである。警告としてＬＥＤ発光がＯＮ設定されている場合は符号１２８を付したステップへ進む（Ｙｅｓ）。警告としてＬＥＤ発光がＯＮ設定されていない場合は符号１３３を付したステップへ進む（Ｎｏ）。
【００５１】
符号１２９はＬＥＤ発行を開始するステップである。続いて符号１３０を付したステップへ進む。
【００５２】
符号１２９は警告として振動がＯＮ設定されているか否かを判断するステップである。警告として振動がＯＮ設定されている場合は符号１３０を付したステップへ進む（Ｙｅｓ）。警告として振動がＯＮ設定されていない場合は符号１３３を付したステップへ進む（Ｎｏ）。
【００５３】
符号１３０は振動を開始するステップである。続いて符号１３３を付したステップへ進む。
【００５４】
符号１３１は警告として音がＯＮ設定されているか否かを判断するステップである。警告として音がＯＮ設定されている場合は符号１３２を付したステップへ進む（Ｙｅｓ）。警告として音がＯＮ設定されていない場合は符号１３３を付したステップへ進む（Ｎｏ）。
【００５５】
符号１１５は音を開始するステップである。続いて符号１１６を付したステップへ進む。
【００５６】
符号１３３は警告する時間（期間）を経過したかを判断するステップである。警告する時間（期間）は予め設定されており、この設定時間を経過したか否かが判断される。警告する時間を経過したと判断される場合は符号１３６を付したステップへ進む（Ｙｅｓ）。警告する時間を経過していないと判断される場合は符号１３４を付したステップへ進む（Ｎｏ）。
【００５７】
符号１３４はバッテリ残量を判断するステップである。放送受信装置で使用されるバッテリ残量と予約番組の録画時間（予約番組の録画時間から換算される電力使用量）が比較される。バッテリ残量が予約番組の録画時間を上回る場合は符号１３５を付したステップへ進む（Ｙｅｓ）。バッテリ残量が予約番組の録画時間を上回らない場合は符号１２６を付したステップへ進む（Ｎｏ）。
【００５８】
符号１３５は受信された放送電波の受信レベルは正常か否かを判断するステップである。例えば所定の受信レベルを予め設定しておき、これと受信された放送電波の受信レベルを比較して、受信された放送電波の受信レベルが予め設定された受信レベルよりよい場合は放送電波の受信レベルを正常と判断し、受信された放送電波の受信レベルが予め設定された受信レベルより悪い場合は放送電波の受信レベルを正常ではない（異常）と判断する。受信された放送電波の受信レベルが正常と判断される場合は符号１３６を付したステップへ進む（Ｙｅｓ）。受信された放送電波の受信レベルが正常ではないと判断される場合
は符号１２６を付したステップへ進む（Ｎｏ）。
【００５９】
符号１３６は警告音、ＬＥＤ発光、振動を停止するステップである。続いて符号１２４を付したステップへ進む。
【００６０】
符号１２４は録画を終了するステップである。続いて符合１２５を付したステップへ進む。
【００６１】
符号１２５は放送受信装置の電源をＯＦＦするステップであり、ここでの処理は終了する。
【００６２】
すなわち、この発明の実施の形態においては、放送を受信する放送受信手段と、所定の番組に係る放送受信の予約が設定される番組予約手段と、時刻を計時する計時手段と、前記計時手段で計時される時刻に基づいて前記番組予約手段で設定された放送受信予約の時刻よりも所定時刻前に、前記予約された放送の受信が正常に行われるか否かを判断する予備放送受信判断手段と、前記予備放送受信判断手段で予約された放送の受信が正常に行われないと判断された場合は警告を行う警告手段と、前記予備放送受信判断手段で予約された放送の受信が正常に行われると判断された場合は前記放送受信手段を用いて予約が設定された番組を受信し、記録媒体に記録する記録手段とを備えている。
【００６３】
図５はこの発明の、他の実施の形態を示すもので、放送受信機能を備えた携帯型電話の概略を説明するために示す外観図である。
【００６４】
ここでは放送受信装置として放送受信機能を備えた携帯電話を例にとって説明する。
【００６５】
上記と同様に符号７はアンテナ、符号１３はモニタ、符号２１はＬＥＤ（警告手段）、符号２２は振動（警告手段）である。
【００６６】
アンテナ７は放送を受信する。ここではデジタル放送を受信するが、特にデジタル放送に限られるものではなく、アナログ放送を受信してもよい。ＬＥＤ（警告手段）２１は予約された放送の受信が正常に行われないと判断された場合にユーザに対して警告を行うものである。振動（警告手段）２２も予約された放送の受信が正常に行われないと判断された場合にユーザに対して警告を行うものである。
【００６７】
なお、この発明は上記した実施の形態そのままに限定されるものではなく、実施段階ではその趣旨を逸脱しない範囲で構成要素を種々変形して具体化することができる。
【図面の簡単な説明】
【００６８】
【図１】この発明の実施の形態を示すもので、放送受信装置の概略を説明するために示す外観図。
【図２】この発明の実施の形態を示すもので、放送受信装置の概略を説明するために示すブロック図。
【図３】この発明の実施の形態に係る一部を示すフローチャート。
【図４】この発明の実施の形態に係る一部を示すフローチャート。
【図５】この発明の、他の実施の形態を示すもので、放送受信機能を備えた携帯型電話の概略を説明するために示す外観図。
【符号の説明】
【００６９】
１…電源（プラグ）、２…バッテリ（電池）、３…スイッチ、４…操作キー、５…小型マイコン、６…時計（計時手段）、７…アンテナ、８…チューナ、９…ＣＰＵ、１０…主
記憶メモリ（半導体メモリ）、１１…不揮発性メモリ、１２…映像処理マイコン、１３…モニタ、１４…スピーカ（警告手段）、２０…警告部、２１…ＬＥＤ（警告手段）、２２…振動（警告手段）。
【図１】
2005136491.tif 000003
【図２】
2005136491.tif 000004
【図３】
2005136491.tif 000005
【図４】
2005136491.tif 000006
【図５】
2005136491.tif 000007